【手続補正書】
【提出日】平成28年7月20日(2016.7.20)
【手続補正１】
【補正対象書類名】明細書
【補正対象項目名】０００７
【補正方法】変更
【補正の内容】
【０００７】
本発明に係る光学装置は、光軸方向に移動可能なフォーカスレンズと、光軸まわりに回転自在なマニュアルフォーカスリングと、前記フォーカスレンズを前記光軸方向に駆動する駆動手段と、前記マニュアルフォーカスリングの回転に従って前記駆動手段を介して前記フォーカスレンズの駆動を制御する駆動制御手段と、前記フォーカスレンズの前記光軸方向における位置を検出する位置検出手段と、前記フォーカスレンズが所定の位置にあるときに前記位置検出手段が検出した前記フォーカスレンズの位置を記憶する記憶手段と、前記駆動制御手段とは独立して、前記位置検出手段が検出する前記フォーカスレンズの現在位置を示す信号と前記記憶手段が記憶している前記フォーカスレンズの位置を示す信号との関係に応じて、前記マニュアルフォーカスリングの回転に対する前記フォーカスレンズの駆動量を変更する合焦制御手段とを備えることを特徴とする。
【手続補正２】
【補正対象書類名】明細書
【補正対象項目名】００４３
【補正方法】変更
【補正の内容】
【００４３】
以上の説明の通り、本実施形態では、本番撮影の撮影被写体が所定位置に配置されたときにフォーカスレンズ位置検出部１８が検出したフォーカスレンズ１２ａの光軸方向の位置を記憶部１９に記憶する。そして、本番撮影時に、フォーカスレンズ位置検出部１８が検出するフォーカスレンズ１２ａの現在位置を示す信号と記憶部１９が記憶している位置信号との関係に応じて、マニュアルフォーカスリング１４ａの動きに対するフォーカスレンズ１２ａの駆動量を変更する。このような合焦方法を用いることによりピント送り速度を自在に調節できると共に、撮影被写体に対する最終合焦精度を安定させることができる。
【手続補正３】
【補正対象書類名】明細書
【補正対象項目名】００５１
【補正方法】変更
【補正の内容】
【００５１】
ステップＳ６０２において、制御部１４ｃは、駆動方向指定部５２を作動させる。その後、処理はステップＳ４０４に進められる。これにより、マニュアルフォーカスリング１４ａが正逆いずれの方向に回転操作されても（マニュアルフォーカスリング１４ａの回転方向にかかわりなく）、フォーカスレンズ１２ａは記憶部１９が記憶しているフォーカスレンズ位置に向かって駆動される。
【手続補正４】
【補正対象書類名】特許請求の範囲
【補正対象項目名】全文
【補正方法】変更
【補正の内容】
【特許請求の範囲】
【請求項１】
光軸方向に移動可能なフォーカスレンズと、
光軸まわりに回転自在なマニュアルフォーカスリングと、
前記フォーカスレンズを前記光軸方向に駆動する駆動手段と、
前記マニュアルフォーカスリングの回転に従って前記駆動手段を介して前記フォーカスレンズの駆動を制御する駆動制御手段と、
前記フォーカスレンズの前記光軸方向における位置を検出する位置検出手段と、
前記フォーカスレンズが所定の位置にあるときに前記位置検出手段が検出した前記フォーカスレンズの位置を記憶する記憶手段と、
前記駆動制御手段とは独立して、前記位置検出手段が検出する前記フォーカスレンズの現在位置を示す信号と前記記憶手段が記憶している前記フォーカスレンズの位置を示す信号との関係に応じて、前記マニュアルフォーカスリングの回転に対する前記フォーカスレンズの駆動量を変更する合焦制御手段とを備えることを特徴とする光学装置。
【請求項２】
前記記憶手段は、所定の被写体に対して合焦状態にあるときの前記フォーカスレンズの位置を記憶することを特徴とする請求項１に記載の光学装置。
【請求項３】
前記合焦制御手段は、前記位置検出手段が検出した前記フォーカスレンズの現在位置が前記記憶手段が記憶している前記フォーカスレンズの位置に近付くと前記フォーカスレンズの駆動速度を減速させ、前記位置検出手段が検出した前記フォーカスレンズの現在位置が前記記憶手段が記憶している前記フォーカスレンズの位置と一致すると前記フォーカスレンズの駆動を停止させることを特徴とする請求項１又は２に記載の光学装置。
【請求項４】
前記記憶手段が記憶している前記フォーカスレンズの位置へ前記フォーカスレンズを移動させる記憶フォーカスモードを前記駆動制御手段に指示するモード操作手段と、
前記記憶フォーカスモードが指示されたときに、前記マニュアルフォーカスリングの回転方向にかかわらず、前記フォーカスレンズの駆動方向を前記フォーカスレンズの現在位置から前記記憶手段が記憶している前記フォーカスレンズの位置へ向かう方向に指定する駆動方向指定手段とを備えることを特徴とする請求項１乃至３のいずれか１項に記載の光学装置。
【請求項５】
光軸方向に移動可能なフォーカスレンズと、
光軸まわりに回転自在なマニュアルフォーカスリングと、
前記フォーカスレンズを前記光軸方向に駆動する駆動手段と、
前記マニュアルフォーカスリングの回転に従って前記駆動手段を介して前記フォーカスレンズの駆動を制御する駆動制御手段と、
被写体に対するデフォーカス量を検出する焦点状態検出手段と、
前記駆動制御手段とは独立して、前記焦点状態検出手段が検出したデフォーカス量が所定値以下となったときに、前記マニュアルフォーカスリングの回転に対する前記フォーカスレンズの駆動量を変更する合焦制御手段とを備えることを特徴とする光学装置。
【請求項６】
前記合焦制御手段は、前記焦点状態検出手段が検出したデフォーカス量が前記所定値以下となったときに前記フォーカスレンズの駆動速度を減速させ、前記焦点状態検出手段が検出したデフォーカス量がゼロとなったときに前記フォーカスレンズの駆動を停止させることを特徴とする請求項５に記載の光学装置。
【請求項７】
前記焦点状態検出手段の出力に基づいて前記被写体に合焦させるために前記フォーカスレンズを駆動する方向を判別する合焦方向判別手段を更に有し、
前記駆動制御手段と前記合焦制御手段はそれぞれ、前記マニュアルフォーカスリングの回転方向にかかわりなく、前記被写体に合焦させるために前記合焦方向判別手段が判別した方向へ前記フォーカスレンズを駆動することを特徴とする請求項５又は６に記載の光学装置。
【請求項８】
光学装置において実行される合焦方法であって、
第１の被写体に合焦させたときの光軸方向におけるフォーカスレンズの位置を記憶する記憶ステップと、
前記第１の被写体とは異なる第２の被写体に合焦させる合焦ステップと、
前記第２の被写体に合焦させた状態から前記第１の被写体に合焦した状態へマニュアルフォーカスリングの回転速度に応じて前記フォーカスレンズを駆動する駆動ステップと、  前記フォーカスレンズの現在位置を検出する検出ステップと、
前記マニュアルフォーカスリングの回転速度にかかわらず、前記検出ステップで検出された前記フォーカスレンズの現在位置が前記記憶ステップで記憶された前記フォーカスレンズの位置に近付くと前記フォーカスレンズの駆動速度を減速させ、前記検出ステップで検出された前記フォーカスレンズの現在位置が前記記憶ステップで記憶された前記フォーカスレンズの位置と一致すると前記フォーカスレンズの駆動を停止させる制御ステップとを有することを特徴とする合焦方法。
【請求項９】
光学装置において実行される合焦方法であって、
主被写体とは異なる被写体に合焦した状態から前記主被写体へ合焦した状態とするためにマニュアルフォーカスリングの回転速度に応じてフォーカスレンズを駆動する際に、前記主被写体に対するデフォーカス量を検出する検出ステップと、
前記検出ステップで検出されたデフォーカス量が所定値以下となったときに前記フォーカスレンズの駆動速度を減速させ、前記検出ステップで検出されたデフォーカス量がゼロとなったときに前記フォーカスレンズの駆動を停止させる駆動制御ステップとを有することを特徴とする合焦方法。